(57)【要約】      （修正有） 【課題】銀行券を始めとする証券印刷物、パスポートや資格証等の証明印刷物等の貴重印刷物において、任意の階調画像に機械読取情報を埋め込み、かつ、階調及び情報を再現する画線が細密な幾何学模様となる印刷物を提供する。【解決手段】印刷物上で階調画像を再現する処理であるスクリーン処理の際に用いるスクリーン形状に、画線面積率の増減にかかわらず、一定の画線構成を有する領域を設け、その領域の画線構成がパターンマッチングや周波数特性に適した図形とすることによって、任意の画像に情報の埋め込みを可能とする。【選択図】図２
2008060871.tif 000002
【特許請求の範囲】
【請求項１】
基材上の一部又は全部に、基材の色とは異なる色から成る階調画像が施された印刷物であって、前記階調画像の少なくとも一部に機械読取可能な情報を含む機械読取領域を有し、前記機械読取領域は、所望する情報を有する画像構成パターンのみが複数配列されて成るか、又は前記所望する情報を有する画像構成パターン及び情報を有しない画像構成パターンが複数配列されて成り、前記情報を有する画像構成パターンは、前記基材の色から成る第１の色領域と、前記基材の色とは異なる第２の色領域と、前記第１の色領域と前記第２の色領域との境界線により形成された情報図形から成り、前記情報を有しない画像構成パターンは、前記第1の色領域及び／又は前記第２の色領域から成り、前記情報図形を所定の機械読取手法により解析することで所定の情報を読み取ることが可能なことを特徴とする階調画像内に機械読取情報を付与した印刷物。
【請求項２】
前記機械読取領域に配列された複数の前記画像構成パターンにおいて、所望する一つの情報に該当する情報図形は、同一の形状又は少なくとも前記形状の一部を成していることを特徴とする請求項１記載の階調画像内に機械読取情報を付与した印刷物。
【請求項３】
前記第１の色領域と前記第２の色領域の面積の比率により、前記階調画像を表現していることを特徴とする請求項１又は２記載の階調画像内に機械読取情報を付与した印刷物。
【請求項４】
前記情報を有する画像構成パターンは、少なくとも一つの情報図形を有していることを特徴とする請求項１、２又は３記載の階調画像内に機械読取情報を付与した印刷物。
【請求項５】
基材上の一部又は全部に、基材の色とは異なる色から成る階調画像が施され、前記階調画像内に機械読取情報を付与した印刷物の作成方法であって、前記機械読取情報を構成するための画像構成パターンを作成し、前記基材上に施す前記階調画像を一端多値画像として作成した後、二値画像に変換し、前記画像構成パターンに埋め込むための所望の情報を入力し、前記画像構成パターンと同じ大きさを有する前記二値画像の階調領域における階調の平均値を算出し、前記算出した階調の平均値に該当する画像構成パターンを前記画像構成パターンと同じ大きさを有する前記二値画像の階調領域に貼り付けることで機械読取情報を付与することが可能な階調画像内に機械読取情報を付与した印刷物の作成方法。
【請求項６】
前記画像構成パターンと同じ大きさを有する前記二値画像の階調領域は、前記所望する情報を有する前記画像構成パターン又は前記所望する情報を有する画像構成パターンと情報を有していない前記画像構成パターンを複数配列して形成することを特徴とする請求項５記載の階調画像内に機械読取情報を付与した印刷物の作成方法。
【請求項７】
前記所望する情報を有する前記画像構成パターンは、前記基材の色から成る第１の色領域と、前記基材の色とは異なる第２の色領域と、前記第１の色領域と前記第２の色領域の境界線から成る情報図形によって構成することを特徴とする請求項５又は６記載の階調画像内に機械読取情報を付与した印刷物の作成方法。
【請求項８】
前記所望する情報を有する一つの前記画像構成パターンと、前記所望の情報と同じ情報を有する他の前記画像構成パターンとは、前記情報図形が同一の形状又は少なくとも前記形状の一部を成すことを特徴とする請求項５、６又は７記載の階調画像内に機械読取情報を付与した印刷物。
【請求項９】
前記画像構成パターンを貼り付ける前記二値画像の階調領域は、前記第１の色領域と前記第２の色領域の面積比率により階調画像を表現することを特徴とする請求項５、６、７又は８記載の階調画像内に機械読取情報を付与した印刷物の作成方法。
【発明の詳細な説明】
【技術分野】
【０００１】
本発明は、階調画像内に機械読取情報を付与した印刷物及びその作成方法に関する。
【背景技術】
【０００２】
貴重印刷物と称することができる銀行券を始めとする証券印刷物、パスポートや資格証等の証明印刷物の印刷面には、様々な要素が付与されて構成されている。この要素を大別すると、情報要素、セキュリティ要素及び模様等の証券デザイン要素に分けられる。
【０００３】
情報要素とは、貴重印刷物が道具としての役割を果たすために必要な要素である。例えば、銀行券における金額又はパスポートにおける顔写真等がこれに該当する。さらに視覚的情報として想定できる情報要素をその形態から分類すると、金額等の文字記号、マーク等の二値画像及び写真画像等の階調画像となる。
【０００４】
情報要素は、様々な状況に合わせた形態が必要である。例えば、銀行券の情報要素の一つである金額は、目視により確認できる形態、触覚により確認できる形態、ＡＴＭ等の各種の機械により確認できる形態として盛り込まれている。
【０００５】
セキュリティ要素とは、その印刷物が本物であることを証明するために必要な要素である。各種の偽造防止策又は機械読取用パターン等がこれに該当する。セキュリティ要素については、真偽を判定する者の習熟度（一般人〜専門家）、真偽判定手段（目視〜特殊装置）及び偽変造手段（コピー機〜高性能印刷製版システム）の各々のレベルに合わせた要素が必要である。
【０００６】
証券デザイン要素とは、その印刷物が貴重印刷物として視覚的にアピールするために必要な要素である。例えば、唐草、神格化された具象及び意匠、凹版肖像に見られる配線又は細密な画線で構成された幾何学模様等がこれに該当する。唐草や神格化された具象及び意匠が文化的側面から発達したのに対して、凹版配線や幾何学模様は、昔から実施されている偽造方法の光学的写真製版による複製に対抗した印刷画線として発達したという背景を持つ貴重印刷物独特の形態である。
【０００７】
貴重印刷物における証券デザイン要素は、貴重印刷物が一見して他の一般的な印刷物とは異なる類のものであるという注意を喚起する意味も持っている。すなわち、確実な保管を促し、安易な偽造及び改ざんをけん制する一種のサインとしての役割を果たす。故に、他の二つの要素と同様、貴重印刷物に不可欠な要素である。
【０００８】
情報要素、セキュリティ要素及び証券デザイン要素としての役割を兼ね備えた印刷画線の構成の例には、凹版配線による肖像、マイクロ文字及びマーク、又は模様の大小による特殊スクリーン処理等がある。中でもオフセット印刷を用いて任意の階調を有する画像を証券印刷物に付すには、特殊スクリーン処理が適当である。
【０００９】
ここでいうスクリーン処理(又はスクリーニング)とは、連続階調を有する画像を画線部（印刷物におけるインキ着色部）と非画線部とに分け、画像の階調を印刷物における単位当たりの画線面積率に置き換えて、印刷物上表す処理のことである。スクリーン処理を行って得られる代表的な画線構成は、楕円やひし形の大小から成る網点である。他に、微細な点の粗密から成るＦＭスクリーン等が知られている。
【００１０】
デジタル製版におけるスクリーン処理においては、印刷物上のどの領域を画線部とするか、又は非画線部とするかをプログラム上で規定する規則（以下「スクリーン」という。）が必要である。スクリーンは、一般に画線の形状を決定するスクリーン形状、単位あたりの大きさを決定するスクリーン線数及び配置方向を決定するスクリーン角度の三つの要素から成る。
【００１１】
階調をスクリーン処理することによって得られた画線（以下「階調再現画線」という。）は、画線の太細、大小又は多少等によって単位面積当たりの面積率が変化する。この階調再現画線が人間の目の分解能を超えて十分に細かい場合、階調再現画線は印刷インキの濃淡として認識される。
【００１２】
特殊スクリーン処理とは、スクリーンに複雑な形状を用いて画像の階調を再現した技術である。特殊スクリーンの例として、本願出願人は、既に「ハーフトーンスクリーン作成法及びその印刷物」を発明している(特許文献１参照)。
【００１３】
これによれば、任意の情報要素となる階調画像を、伝統的な証券の特徴の一つである多数の円や多角形等の幾何学的図形から成る意匠性が高い模様の証券デザイン要素で再現した証券印刷物を得ることができる。さらに、再現された画像は、階調と画線形状を判定の拠り所とした真偽判定手段となるセキュリティ要素として用いることが可能である。
【００１４】
特殊スクリーン処理された画像がセキュリティ要素と成り得るのは、複製した場合に、特殊スクリーン処理された画像が、全体的な階調の濃淡と個々の画線形状との双方を忠実に再現しなくてはならないためである。特殊スクリーン処理により得られた画像は、彩紋等の曲線の集合で構成された絵柄や網点を用いて再現した階調よりも偽造が難しいとされている。それは、主としてスキャナによる入力や画像処理による画線抽出等に対して抑止力があるからである。
【００１５】
特殊スクリーンを採用した貴重印刷物を真偽判定する場合には、まず目視にて全体的な階調の濃淡を観察し、次に１０倍程度の拡大鏡を用いて画線形状を観察して真正品と比較する。このように特殊スクリーンは、設置場所が限定される専用機器を必要としない簡易な真偽判定手段の一つと言える。
【００１６】
前述のような特殊スクリーン処理と同様の技術を応用して、本願出願人は、階調画像に機械読取情報を重畳した印刷物を発明している(特許文献２参照)。しかし、この発明では、「・・・機械で読み取られることを目的にあらかじめ決められた任意の形状・・・」とあるように、採用し得る機械読取手法は、パターンマッチングによる画線形状抽出及び抽出した画線の位置座標の判定である。このような読取手法を用いた印刷物では、印刷条件の変動による画線形状の変化の影響を受けやすいため読取精度が低下しやすいという問題があった。また、付与できる情報についても限定的であった。さらに、機械読取用エレメント同士の位置関係をカモフラージュするためのダミーエレメント及びパターンマッチングの際に必要な空白部等が必要なため、画線形状が限定されやすく、美観の点で大きな問題があった。そこで、パターンマッチングに加えて他の読取精度が高い機械読取手法に供することが可能で、情報が付与しやすく、かつ、印刷物の美観を考慮して情報の設計、すなわち画線形状と情報との関係を規定することが可能な模様、いわゆるスクリーン処理して得た画線を有する印刷物が求められている。
【００１７】
【特許文献１】特許第３４７０３１２号
【特許文献２】特願２０００−１８１５５２
【発明の開示】
【発明が解決しようとする課題】
【００１８】
本発明は以上の問題を鑑み、任意の階調画像に機械読取情報を埋め込み、かつ、階調及び情報を再現する画線が証券デザイン要素たる細密な幾何学模様となる印刷物及びその作成方法を提供することを目的としている。
【課題を解決するための手段】
【００１９】
本発明は、基材上の一部又は全部に、基材の色とは異なる色から成る階調画像が施された印刷物であって、階調画像の少なくとも一部に機械読取可能な情報を含む機械読取領域を有し、機械読取領域は、所望する情報を有する画像構成パターンのみが複数配列されて成るか、又は所望する情報を有する画像構成パターン及び情報を有しない画像構成パターンが複数配列されて成り、情報を有する画像構成パターンは、基材の色から成る第１の色領域と、基材の色とは異なる第２の色領域と、第１の色領域と第２の色領域との境界線により形成された情報図形から成り、情報を有しない画像構成パターンは、第1の色領域及び／又は第２の色領域から成り、情報図形を所定の機械読取手法により解析することで所定の情報を読み取ることが可能なことを特徴とする階調画像内に機械読取情報を付与した印刷物である。
【００２０】
また、本発明における階調画像内に機械読取情報を付与した印刷物は、第１の色領域と第２の色領域の面積の比率により、階調画像を表現していることを特徴とする。
【００２１】
また、本発明における階調画像内に機械読取情報を付与した印刷物は、第１の色領域と第２の色領域の面積の比率により、階調画像を表現していることを特徴とする。
【００２２】
また、本発明における階調画像内に機械読取情報を付与した印刷物は、情報を有する画像構成パターンは、少なくとも一つの情報図形を有していることを特徴とする。
【００２３】
また、本発明は、基材上の一部又は全部に、基材の色とは異なる色から成る階調画像が施され、階調画像内に機械読取情報を付与した印刷物の作成方法であって、機械読取情報を構成するための画像構成パターンを作成し、基材上に施す階調画像を一端多値画像として作成した後、二値画像に変換し、画像構成パターンに埋め込むための所望の情報を入力し、画像構成パターンと同じ大きさを有する二値画像の階調領域においての階調の平均値を算出し、算出した階調の平均値に該当する画像構成パターンを画像構成パターンと同じ大きさを有する二値画像の階調領域に貼り付けることで機械読取情報を付与することが可能な階調画像内に機械読取情報を付与した印刷物の作成方法である。
【００２４】
また、本発明は、画像構成パターンと同じ大きさを有する二値画像の階調領域は、所望する情報を有する画像構成パターン又は所望する情報を有する画像構成パターンと情報を有していない画像構成パターンを複数配列して形成することを特徴とする階調画像内に機械読取情報を付与した印刷物の作成方法である。
【００２５】
また、本発明は、所望する情報を有する画像構成パターンは、基材の色から成る第１の色領域と、基材の色とは異なる第２の色領域と、第１の色領域と第２の色領域の境界線から成る情報図形によって構成することを特徴とする階調画像内に機械読取情報を付与した印刷物の作成方法である。
【００２６】
また、本発明は、所望する情報を有する一つの画像構成パターンと、所望の情報と同じ情報を有する他の画像構成パターンとは、情報図形が同一の形状又は少なくとも形状の一部を成すことを特徴とする階調画像内に機械読取情報を付与した印刷物である。
【００２７】
また、本発明は、画像構成パターンを貼り付ける二値画像の階調領域は、第１の色領域と第２の色領域の面積の比率により階調画像を表現することを特徴とする階調画像内に機械読取情報を付与した印刷物の作成方法である。
【発明の効果】
【００２８】
本発明によれば、任意の階調画像を用いて真偽判定を行うことが可能となり、また、伝統的な証券の特徴の一つである多数の円や多角形等の幾何学的図形から成る意匠性の高い特殊スクリーン処理して得られる画線構成に、機械読取情報を埋め込むことが可能な印刷物を提供することができる。
【００２９】
本発明によれば、機械読取に必要な装置が使用不可能な場合であっても、真偽判定手段として画線形状を拡大鏡等によって確認することにより、画像の改ざん等の有無を確認することができる。
【発明を実施するための最良の形態】
【００３０】
以下、本発明の実施の形態について、図面を参照して詳細に説明する。
【００３１】
《印刷物の構成の例》
機械読取情報を埋め込んだ印刷物の例を図１に、図１に示した印刷物の部分的な拡大図を図２に示す。機械読取情報を埋め込んだ印刷物ａ１（以下「機械読取情報印刷物」という。）の表面には、少なくとも１点の階調画像ａ２が印刷されている。階調画像ａ２の大きさ、形状及び絵柄は任意である。
【００３２】
《印刷物を構成する色》
階調画像ａ２は、その階調を再現するために、第１の色領域及び第２の色領域を少なくとも有する。例えば、第１色は印刷物におけるインキの色であり、第２色は用紙の色である。階調画像の階調の濃淡は、一般的なオフセット印刷により作製された印刷物における網点のように、第１の色領域と第２の色領域との比率によって再現されている。
【００３３】
以下、印刷物が第１の色領域及び第２の色領域より構成されている場合について述べる。階調画像を構成する第１の色領域及び第２の色領域に使う具体的な色は任意である。また、それぞれの色は、前述の例とは逆の第１の色領域に使う色は用紙の色、第２の色領域に使う色はインキの色であってもよい。なお、特に言及しない限り、第１の色領域及び第２の色領域に使う色に関する記載は、両者を入れ替えた場合も可能であるとする。さらに、印刷物を構成する領域は、３種類以上、例えば２色以上のインキを用いて印刷されたものであってもよい。
【００３４】
《印刷物の階調再現方法》
階調画像は、少なくともその一部が以下に述べる画像構成パターンａ６によって構成されている。画像構成パターンａ６は、第１の色領域ａ４及び第２の色領域ａ５から成る。階調画像には、その階調を再現するために第１の色領域及び第２の色領域の占有比率が互いに異なる多種類の画像構成パターンが存在し、階調画像の階調を再現している。また、幅広い階調を再現する意図から、第１の色領域又は第２の色領域のみの画像構成パターンａ７が存在する場合もある。
【００３５】
１個の画像構成パターンにおける第１の色領域の面積率は、階調画像が有する階調に応じて増減している。例えば、階調画像の階調が濃い個所では画像構成パターンの第１の色領域の面積率が高く、階調画像の階調が淡い個所では画像構成パターンの第１の色領域の面積率が低い。また、階調の濃淡と第１の色領域の面積率の高低が前述の関係と逆も可能である。
【００３６】
以下に画像構成パターンが有する第１の色領域について述べる。領域の形状及び大きさについては、第１の色領域と第２の色領域の比率が概ね５０％である場合の例とする。画像構成パターンが有する第１の色領域の形状は、真正な印刷物との比較対照を行う意図から、一般的に人間が拡大鏡を用いて観察しその形を認識できる程度の単純な構成とする。例えば、円や多角形等の幾何学的図形、又はそれらを複数組み合わせて得られた模様である。また、幾何学的図形を組み合わせてできた模様が、記号又は文字等の意味を持つ形状を成していてもよい。
【００３７】
《第１の色領域の大きさ》
１個の画像構成パターンが有する第１の色領域の大きさの下限は、拡大率５〜１０倍程度の簡易な拡大鏡を用いて、その形状及び個数を確認できる程度の大きさとする。第１の色領域が線状の場合の太さについては、第１の色領域の形状の複雑さと印刷手段の技術的水準によるものであり、例えば、現在のオフセット印刷を用いるのであれば、第１の色領域の太さは概ね２０ミクロン以上である。
【００３８】
第１の色領域の大きさの上限は特にない。階調画像の階調再現性を重視する場合は、印刷物と印刷物を観察する者との間の距離を考慮して、第１の色領域の大きさを決定する。例えば、ランドルド氏環を用いた視力測定法で視力１.０を示す観察者が２０〜３０センチの距離から印刷物を観察する場合、第１の色領域の間隔が概ね０.４ミリ以下になるよう大きさを設定すると、第１の色領域の間隔を認識できなくなる。同時に第１の色領域と第２の色領域が混色することで両者の割合による濃淡が生じるので、階調画像の階調として認識することができるようになる。図２に示すような形状を有する第１の色領域ａ４の場合、一辺の長さが概ね５００〜１，０００ミクロン程度で、機械読取情報印刷物上にて細部まで再現された階調画像を得られることとなる。
【００３９】
《機械読取領域》
図２に示した印刷物ａ１の部分的な拡大図における領域ａ３は、機械読取に供する領域（以下「機械読取領域」という。）である。階調画像は、少なくとも１箇所の機械読取領域を有する。機械読取とは、次のような処理のことをいう。まず、スキャナやＣＣＤカメラ等の光学的読取装置を用いて画像を入力する。次に入力した画像から、パターンマッチング等による画線の形状、あるいは２次元高速フーリエ変換等による周波数成分を始めとする、画像の特性（以下、「画像特性」という。）を得る。あらかじめ規定した画像特性と埋め込まれた情報の関係に基づき得られた画像特性から画像に埋め込まれた情報を読み取ることをいう。
【００４０】
機械読取領域の大きさ及び形状は任意であり、階調画像の全体であっても一部であってもよい。階調画像を２色以上のインキにて印刷した場合、フィルタを用いた光学的色分解、又は画像処理的手法等により、第１の色領域又は第２の色領域の形状を抽出できれば、第１の領域及び第２の領域の上に他の色が重なっていてもよい。
【００４１】
機械読取領域ａ３は、第１の色領域ａ４及び第２の色領域ａ５より成る複数の画像構成パターンａ６を有する。１個の画像構成パターンは、第１の色領域が占める面積と第２の色領域が占める面積とが概ね等しく、かつ、濃淡に変化が見られないような場合において、上下左右に繰り返し配列されているうちの１単位と見なされる大きさ及び形状を有する。画像構成パターンの形状、大きさ及び印刷物上に配置される向き（一般的な網点では網点角度に相当）は任意である。
【００４２】
機械読取領域以外の領域についても、情報を有しない画像構成パターンを用いてもよい。その他、一般商業印刷物に見られる円形やひし形の網点等の任意の階調再現手段を用いることも可能である。また、画像構成パターンと類似した構成を持ちながら機械読取不能な網点を用いるなど、機械読取領域をカムフラージュしてもよい。
【００４３】
《画像構成パターン》
以上のように、画像構成パターンは、第１の色領域及び第２の色領域が階調画像の階調を再現し、かつ、拡大鏡を用いた観察にて観察者が判別できる幾何学的模様を成す。さらに、画像構成パターンのうち、スキャナ等の光学的読取手段を備えた機械読取装置によって読み取られた場合に、その形状的特徴を各種画像解析手法（パターンマッチング、高速フーリエ変換等により周波数特性を解析する方法）にて解析できるようなパターンを、特に情報パターンと称する。
【００４４】
画像の形状あるいは周波数的な特性は、どのような情報パターンを用いても得られる。しかし、一般の円形やひし形の網点等を用いて任意の階調画像を再現した場合は、階調の濃淡によって第１の色領域に相当する画線（インキ着色部）の形状や間隔が変化するので、任意の階調を有する画像から一定の特性を読み取ることが困難となる。よって、任意の階調を再現しながら画像解析可能な情報パターンとするには、画像特性を埋め込む情報に基づいて制御するための構成が少なくとも一箇所必要となる。すなわち、画像構成パターンの示す第１の色領域面積率にかかわらず、第１の色領域及び第２の色領域の境界線が、一定の図形又はその一部を成すことである。画像特性を意図的に制御する目的とした、第１の色領域及び第２の色領域の境界線によって、少なくともその一部が形成される図形を以下、情報図形と称する。
【００４５】
図３の（あ）乃至（か）に示した画像構成パターンａ１１、ａ１５、ａ１９、ａ２５、ａ３１及びａ３５は、情報パターンとなり得るパターンの１例である。例えば、（あ）に示した画像構成パターンａ１１が有する第１の色領域ａ１２及び第２の色領域ａ１３の境界に生じた情報図形ａ１４の画像特性を、機械読取に利用することとする。（う）に示した画像構成パターンａ１９は、（あ）に示した画像構成パターンａ１１が有する情報図形ａ１４と、形状及び大きさが同一の情報図形ａ２２を有する。この画像構成パターンａ１１及びａ１９については、例えば、高速２次元フーリエ変換した場合に得られるスペクトルを比較してみると、各々情報図形ａ１４及びａ１９に由来するスペクトルのピークが確認できる。
【００４６】
また、画像構成パターンａ１９は、画像構成パターンａ１１にはない第１の色領域ａ２３及び第２の色領域ａ２４を有し、画像構成パターンにおける第１の色領域の面積率がａ１１とは異なる。したがって、画像構成パターンａ１１とａ１９は、異なる濃さの階調を再現することが可能となる。よって、情報図形の形状及び大きさが同一であれば、階調の濃淡に左右されない画像特性を持つ階調画像を再現することができる。
【００４７】
さらに、（お）に示した画像構成パターンａ３１は、画像構成パターン内にける情報図形ａ３４が、（あ）に示した画像構成パターンａ１１が有する情報図形ａ１４とは位置が異なる。このようなパターンについても、例えば画像の周波数特性を解析するようなフーリエ変換を利用した画像解析手法を用いれば、画像構成パターンａ１１と同じ画像特性を再現できる階調画像を持たせることができる。
【００４８】
加えて、（い）、（え）及び（か）に示す画像構成パターンａ１５、ａ２５及びａ３５は、各々画像構成パターンａ１１、ａ１９及びａ３１と第１の色領域と第２の色領域が逆の関係ある。このようなパターンについても、例えば画像の周波数特性を解析するようなフーリエ変換を利用した画像解析手法を用いると、（あ）に示した画像構成パターンａ１１と同じ画像特性を再現できる階調画像を持たせることができる。
【００４９】
図４の（さ）及び（し）に示される画像構成パターンａ５１及びａ５５は、情報図形の一部を有する例である。第１の色領域ａ５２（ａ５６）と第２の色領域ａ５３（ａ５７）との境界線が、図３の（あ）に示される情報図形ａ１４と一部が一致する。このように情報図形の一部を有する画像構成パターンも、情報図形に由来する画像特性を部分的に再現できる階調画像を持たせることができる。
【００５０】
次に、画像構成パターンの中でも情報パターンではないものについては、非情報パターンと称することとする。１個の画像構成パターンが情報パターンであるか非情報パターンであるかは、情報図形の少なくとも一部を有しているか否かによる。
【００５１】
前述のように、機械読取情報印刷物は少なくとも１箇所の機械読取領域を有する。各々の機械読取領域は少なくともその一部が情報パターンで構成されている。機械読取領域が複数ある場合、各々の機械読取領域を構成する画像構成パターンは、同一であっても異なるものであってもよい。
【００５２】
情報パターンを読み取る光学的装置には、例えば、ＣＣＤを備えたスキャナやデジタルカメラ等を用いる。また、読み取った印刷物を解析する方法には、2次元高速フーリエ変換等を用いることができる。例えば、２次元高速フーリエ変換を市販の画像解析ソフト等により行うと、スペクトルが画像として得られることとなる。この得られたスペクトルを照合することで埋め込まれた情報を取り出すことができる。なお、機械読取情報印刷物の読取方法については任意である。
【００５３】
《階調画像の作成方法の例》
以上のような画像構成パターンを用いて階調画像を再現する方法の例を、図５に示す。
【００５４】
《作成に要する装置》
作成に要する装置については、図６にその一例を示す。この装置は、コンピュータの有する中央演算装置のような演算手段ｄ１、内部メモリのような演算手段がデータの一時記憶に用いる一時記憶手段ｄ２、ハードディスク又は光磁気ディスクのようなデータを書き込んで保存が可能なデータ格納手段ｄ３、スキャナ又はデジタルカメラのような絵画や写真をデジタル情報に変換して入力することができる画像入力手段ｄ４、市販の画像処理ソフトや描画ソフトを格納したハードディスクのような画像描画手段ｄ５、キーボード又はマウスのような利用者がデータを入力する場合に用いるデータ入力手段ｄ６、プリンタ又はフィルム出力機のような出力手段ｄ７及びモニタのような表示手段ｄ８によって構成されている。作成過程にある階調画像及び必要な素材は、デジタルデータとしてこれらの手段の間でやり取りされる。また、データ格納手段ｄ３に市販の画像処理ソフト等をあらかじめ格納して、画像の描画等の際に利用してもよい。
【００５５】
《画像構成パターンの作成ｓ１》
階調画像を再生する方法として、まず画像描画手段ｄ５を用いて演算手段ｄ１で画像構成パターンを作成する（ｓ１）。画像構成パターンは、数種類のパターンを組み合わせることで複雑な情報となる。例えば、０から９までを表す１０種類の画像構成パターンを組み合わせることによって、１０進法にて表される数を任意の桁数だけ付与する等してもよい。
【００５６】
画像構成パターンの具体的な作成方法は任意であり、例えば、画像処理ソフト等を利用することでもよい。この場合、所望する形の画像構成パターンを、例えば、画像処理ソフトの描画機能を用いて白と黒との２値画像として作成する。なお、機械読取情報印刷物においては、例えば白が第２の色領域、黒が第１の色領域となるように作成する。作成する画像構成パターンの寸法(ピクセル数)は、階調画像を再現したい階調数(階調の段階の数)に依存する。ピクセル数は再現したい階調数から１を減じた数以上が必要なので、例えば、再現したい階調数が２５６階調である場合、２５５ピクセル以上が必要になる。画像構成パターンを第１の色領域面積率を変えて再現したい階調数だけ作成する。第１の色領域面積率は０％から１００％までのいずれであってもよく、均等に分散していると、画像の階調再現性が向上する。
【００５７】
同様にして、画像構成パターンを機械読取情報印刷物に付与したい種類の数だけ作成させる。例えば、二進法の数字を用いたい場合は２種類、十進法の数字を用いたい場合は１０種類の画像構成パターンを作成する。付与する情報と画像構成パターンとの関連付けは任意であり、利用者が好みの形状の第１の色領域を有する画像構成パターンを用いて情報付与するように規定することによって、得られる機械読取情報印刷物の第１の色領域の形状を紋様として完成度の高いものとすることが可能である。すなわち、作成する画像構成パターンの総数は、（再現したい階調数）＊（印刷物に付与したい情報の種類）である。画像構成パターンの寸法は任意であるが、少なくとも同じ情報を有する画像構成パターン同士が同じ寸法により構成されると、階調画像の階調を変じても機械読取情報印刷物に同じ情報を埋め込むことが可能である。
【００５８】
作成された画像構成パターンについては、第１の色領域面積率を演算手段ｄ１で測定する。例えば、画像構成パターンの総ピクセル数及び黒色のピクセル数を測定し、黒色のピクセル数を総ピクセル数にて除算する。情報画像構成パターン及び得られた第１の色領域面積率の情報をデータ格納手段ｄ３に保存する。
【００５９】
《階調画像の階調を有する多値画像の作成ｓ２》
次に、階調画像の階調を有する多値画像を作成する。多値画像とは、白と黒以外の中間色を階調として有する画像であり、８ビットグレースケール画像が代表例である。多値画像が有する階調、すなわち階調画像の階調及びその作成方法は特に限定しない。例えば、画像描画手段ｄ５にて画像を描画する。または、画像入力手段ｄ４により写真その他の画像を入力して用いてもよい。このようにして得られた画像はデータ格納手段ｄ３に保存する。以下、階調画像の階調を有する多値画像を、階調多値画像と称する。
【００６０】
《情報の入力ｓ３》
階調画像に付与したい情報（以下「埋め込み情報」という。）を、データ入力手段ｄ６等を用いて入力し、データ格納手段ｄ３に格納する（ｓ３）。なお、情報の内容、形式及び容量は任意である。
【００６１】
《多値画像の読み込みｓ４》
階調画像の階調を有する多値画像の作成（ｓ２）において作成及び保存した階調多値画像を演算手段ｄ１で読み込む（ｓ４）。
【００６２】
《階調の判定及び画像構成パターンの選択ｓ５》
ステップ（ｓ３）にて入力した埋め込み情報及びステップ（ｓ４）にて読み込んだ多値画像の階調に基づき、二値画像形式の階調画像を作成する。多値画像の階調を二値画像にて再現する方法には、公知の技術を用いてもよい。例えば、階調多値画像と同じ長さ寸法の二値画像（以下「新規画像」という。）を作成し、画像解像度は印刷に適当な任意の解像度、例えば、１２００ｄｐｉ乃至５０８０ｄｐｉ程度とすればよい。
【００６３】
階調多値画像の端から順に、１個の画像構成パターンと同じ長さ寸法を有する領域の階調について、平均値を算出する。埋め込み情報に合致し、かつ算出した階調の平均値及びに相当する画像構成パターンをデータ格納手段ｄ３から検索し、該当する画像構成パターンを入力する。
【００６４】
入力した画像構成パターンを、新規画像の階調多値画像に対する階調の平均値を算出した領域と同じ位置に貼り付ける。これらを繰り返して階調画像のすべての領域について、階調の平均値の算出と新規画像への画像構成パターンの貼り付けを行い、二値画像形式の階調画像を完成する。そして完成した画像を、データ格納手段ｄ３２保存する。
【００６５】
作成した二値画像形式の階調画像を印刷し、機械読取情報印刷物を得る。印刷方法は、インクジェット方式のプリンタ又は印刷用版面（ＰＳ版等）を作成し、オフセットその他の方式の印刷機を用いて印刷してもよい。
【実施例１】
【００６６】
《閉図形型画像構成パターンの例》
次に、特に再現可能な階調の範囲が広い画像構成パターンの例として、閉図形型画像構成パターンを用いる場合について述べる。画像構成パターンによって再現可能な階調の範囲が広いほど機械読取領域における画像構成パターンの存在率を高くすることが可能なので、画像構成パターンに由来する画像特性が顕著な機械読取情報印刷物が得られる。また、階調画像の階調の相違にかかわらず、画像構成パターンが存在可能なので、任意の階調画像を有する印刷物を機械読取に供することができる。
【００６７】
図７は、閉図形型画像構成パターンの例を示した図である。閉図形型画像構成パターンｃ１は、任意の形状を有する第１の色領域ｃ２と第２の色領域ｃ３の境界ｃ４である。ここで、第１の色領域と第２の色領域の境界が他の情報図形と少なくとも一部が一致するとき、情報図形を表すと称する。また、ｃ１の閉図形型画像構成パターンのように、１本の輪郭線により情報図形が構成されているものを閉図形型情報図形と称する。
【００６８】
ある情報図形を表す第１の色領域及び第２の色領域の形状は一つではない。例えば、図６の（Ｃ１）及び（Ｃ２）に示した閉図形型画像構成パターンｃ１１及びｃ２１は、図７に示した閉図形型画像構成パターンｃ１と同様の情報図形ｃ４を有している。閉図形型画像構成パターンｃ１１における第１の色領域ｃ１２の形状は情報図形ｃ４にかかわらず任意である。また、閉図形型画像構成パターンｃ２１における第２の色領域ｃ２３はその内側に任意の形状の第１の色領域ｃ２４を有する等してもよい。
【００６９】
図８の（Ｃ３）は、第１の色領域ｃ３２及び第２の色領域ｃ３３が三角形の情報図形ｃ３４を表す閉図形型画像構成パターンｃ３１を示した図である。（Ｃ４）は、第１の色領域ｃ４２及び第２の色領域ｃ４３が四角形の情報図形ｃ４４を表す閉図形型画像構成パターンｃ4１を示した図である。このように、閉図形型画像構成パターンが表す情報図形の形状及び大きさは任意に設定可能である。
【００７０】
図９は、閉図形型画像構成パターンにて階調を再現した例であり、図１０は図９に示された閉図形型画像構成パターンｃ111、ｃ１２１、ｃ１３１、ｃ１４１、ｃ１５１及びｃ１６１の拡大図である。図１０の（Ｃ１１）、（Ｃ１２）、（Ｃ１３）及び（Ｃ１４）に示した閉図形型画像構成パターンｃｃ111、ｃ１２１、ｃ１３１及びｃ１４１は、各々第１の色領域ｃ１１２、ｃ１２２、ｃ１３２及びｃ１４２の形状及び面積が異なる閉図形型画像構成パターンである。しかし、第２の色領域ｃ１１３、ｃ１２３、ｃ１３３及びｃ１４３は形状、大きさ及び向きが同一で、各画像構成パターンにおける第１の色領域と第２の色領域との境界は、ともに情報図形ｃ１１４である。
【００７１】
図１０の（Ｃ１５）及び（Ｃ１６）に示した画像構成パターンｃ１５１及びｃ１６１は、各々情報図形の内側に存在する第２の色領域ｃ１５３及びｃ１６３の中に任意の形状の第１の色領域ｃ１５４及びｃ１６４を有する閉図形型画像構成パターンの例である。情報図形の内側に存在する第２の色領域の中の第１の色領域を、以下、内包第１の色領域と称する。また、閉図形型画像構成パターンのうち、内包第１の色領域を有するパターンと内包第１の色領域がないパターンとを特に区別する場合には、前者を閉図形内包型画像構成パターン、後者を閉図形単独型画像構成パターンと称する。
【００７２】
閉図形内包型画像構成パターンは、閉図形単独型画像構成パターンよりも、高い濃度の階調を再現することが可能である。図９に示した画像ｂ１では、閉図形単独型画像構成パターンでは再現できない階調のみを閉図形内包型画像構成パターンにて再現したが、画像構成パターンによる階調再現方法はこの限りではない。よって、閉図形単独型画像構成パターンと閉図形内包型画像構成パターンがグレースケール中に混在していてもよい。
【００７３】
前述のように、閉図形型画像構成パターンにおける第１の色領域及び内包第１の色領域の形状は任意である。最も広い範囲の階調を再現することができる閉図形型画像構成パターンの組合せは、図９に示した画像ｂ１のような組合せである。図１０の（Ｃ１１）及び（Ｃ１６）に各々示した閉図形型画像構成パターンｃ１１１及びｃ１６１の部分的な拡大図を図１１に示す。画像ｂ１のような組合せとは、すなわち、第１の色領域面積率が極端に低く、０％に近い階調は閉図形単独型画像構成パターンを用いて再現し、再現する閉図形単独型画像構成パターンは、（Ｃ１７）に示すように、ｃ１１１のような情報図形を表す第１の色領域ｃ１１２の外周ｃ１１６が情報図形ｃ１１４と相似の関係にあるパターンである。さらに、第１の色領域面積率が極端に高く１００％に近い階調は、閉図形内包型画像構成パターンを用いて再現し、再現する閉図形内包型画像構成パターンは、（Ｃ１８）に示すように、ｃ１６１のように情報図形を表す第２の色領域ｃ１６３の内周ｃ１６６が情報図形ｃ１１４と相似の関係にあるパターンである。この場合、メッセージ画像の階調が印刷で再現できる限界とほぼ同等の範囲が画像構成パターンで再現可能となる。
【００７４】
図９に示した画像ｂ１のように、閉図形型画像構成パターンは組合せによって広い範囲の階調を再現することが可能である。第１の色領域の形状は、画像ｂ１では類似した形状（この場合は円形又はそれに類似した閉図形）の画像構成パターンのみを用いているが、任意の形状第１の色領域を有する画像構成パターンを用いてもよい。例えば図８のＣ１に示す画像構成パターンｃ１１のように第１の色領域ｃ１２が情報図形ｃ４と異なる形状を用いた場合には、情報図形と第１の色領域とが周波数的に干渉しない。よって、画像の周波数特性の解析が容易になる。
【００７５】
さらに、図３の（あ）及び（お）を用いて述べたように、情報図形は画像構成パターンの中での位置が互いに異なる関係にあってもよい。よって、情報図形が互いに異なる位置にあるような閉図形型画像構成パターンがグレースケール中に混在していてもよい。
【００７６】
以上のように階調再現に閉図形型画像構成パターンを組み合わせて用いた場合、比較的広い範囲の階調を再現することができる。階調を再現するのに用いる画像構成パターンの種類数は任意であり、数が多く、第１の色領域面積率が均等に分散している場合ほど、再現された階調画像の品質が向上する。さらに、第１の色領域面積率が０％付近及び１００％付近のように、閉図形型画像構成パターンで再現できない濃度の階調を再現したい場合は、画像構成パターン（非情報）を用いてもよい。また階調の再現性や美観その他の理由により、画像構成パターンで再現可能な特定の階調を画像構成パターン（非情報）で再現してもよい。
【００７７】
個々の情報図形がどのような情報を意味するのかについては、利用者が任意に規定して用いる。例えば、図８の（Ｃ１）に示した閉図形型画像構成パターンｃ１１、図８の（Ｃ３）に示した画像構成パターンｃ３１及び図８の（Ｃ４）に示した画像構成パターンｃ４１と、三つの画像構成パターンを用いることでよい。複雑な情報を埋め込むために、任意の形状及び大きさの複数の閉図形型情報図形を表す画像構成パターンを用いてもよい。例えば、図１２に示す画像構成パターンｐ１０１は、四つの閉図形型情報図形ｐ１１０、ｐ１１１、ｐ１１２及びｐ１１３を有する画像構成パターンの例である。
【００７８】
情報図形の形状として好ましい形状は機械読取の際に用いる画像解析手法によるが、例えば、単純なパターンマッチングを用いるのであれば、三角形、四角形又は星型のような頂点やその他の特徴点が判別しやすい形状を情報図形に用いる。２次元高速フーリエ変換等の周波数解析を用いる場合は、前述したように、第１の色領域及び第２の色領域の輪郭が情報図形を表さない部分は、情報図形と異なる形にすると、情報図形との干渉を生じないので解析が比較的容易である。
【実施例２】
【００７９】
《多重型画像構成パターンの例》
次に、多様な情報を埋め込むことが可能な画像構成パターンの例として、多重型画像構成パターンを用いる場合について述べる。
【００８０】
図１３に示す画像構成パターンｍ１は、第１の色領域ｍ２及び第２の色領域ｍ３の境界が２個の円形の情報図形ｍ４及びｍ５を有しており、形状が一致するような多重型画像構成パターンの例である。このように、情報図形が別の情報図形を内包している場合を以下、多重型情報図形と称し、多重型情報図形を表すような画像構成パターンを、以下、多重型画像構成パターンと称する。多重型画像構成パターンｍ１では、個々の情報図形ｍ４及びｍ５の大きさとｍ６及びｍ７の他に、両者の位置関係ｍ８に由来する画像特性を機械読取によって読み取ることができる。
【００８１】
情報図形と境界が一致する第１の色領域及び第２の色領域は、図１３の限りではない。例えば、図１４の（Ｍ１）及び（Ｍ２）に示す多重型画像構成パターンｍ１１とｍ２１のように、境界が情報図形又は情報図形の一部と一致していればよい。
【００８２】
図１４の（Ｍ３）は、第１の色領域ｍ３２と第２の色領域ｍ３３との境界が、２個の三角形の情報図形ｍ３４と一致すること、すなわち、２個の三角形の情報図形ｍ３４を表す多重型画像構成パターンの例を示した図である。同様に、（Ｍ４）は第１の色領域ｍ４２と第２の色領域ｍ４３が３個の四角形の情報図形ｍ４４を表す多重型画像構成パターンの例を示した図で、（Ｍ５）は、第１の色領域ｍ５２と第２の色領域ｍ５３が円形及び四角形の情報図形ｍ５４を表す多重型画像構成パターンの例を示した図で、（Ｍ６）は第１の色領域ｍ６２と第２の色領域ｍ６３が６つの頂点を持つ星形及び三角形の情報図形ｍ６４を表す多重型画像構成パターンの例を示した図である。これらの例のように、多重型画像構成パターンにおける情報図形の形状、大きさ、向き及び個数は任意に設定可能である。
【００８３】
図１５は多重型画像構成パターンにて階調を再現した画像の例で、図１６は図１５に示された多重型画像構成パターンｍ１１１、ｍ１２１、ｍ１３１、ｍ１４１、ｍ１５１及びｍ１６１の拡大図である。
【００８４】
図１６の（Ｍ１１）及び（Ｍ１２）に各々示した多重型画像構成パターンｍ１１１及びｍ１２１は、画像構成パターンが多数の情報図形を表し、かつ、第１の色領域面積率が極端に低く、０％に近い場合の例である。多重型画像構成パターンｍ１１１及びｍ１２１では、各々第１の色領域ｍ１１２及びｍ１２２と、第２の色領域ｍ１１３及びｍ１２３とが、情報図形ｍ１１４の一部を表している。多重型画像構成パターンｍ１１１及びｍ１２１は各々の情報図形の一部を表すことで、個々の情報図形の正確な形状よりもパターン中に存在するすべての情報図形を示すことを優先している。第１の色領域と第２の色領域との境界が情報図形ｍ１１４の少なくとも一部を表すような多重型画像構成パターンは、この限りではない。情報図形同士の間隔、太細及び印刷の適性条件等を考慮して任意のパターンを用いてもよい。
【００８５】
図１６の（Ｍ１３）及び（Ｍ１４）に各々示した多重型画像構成パターンｍ１３１及びｍ１４１は、画像構成パターンが多数の情報図形を表し、かつ、第１の色領域面積率が中間の５０％に近い場合の例である。この例は、最も外側の情報図形の内側に各々存在する第１の色領域ｍ１３４及びｍ１４４と、第２の色領域ｍ１３５及びｍ１４５が同一である。情報図形の外側の第１の色領域ｍ１３２及びｍ１４２と、第２の色領域ｍ１３３及びｍ１４３との面積比を異ならせることで、パターン全体の第１の色領域面積率を異ならしている。
【００８６】
または、第１の色領域面積率が中間の５０％に近い場合に、最も外側情報図形の内側に各々存在する第１の色領域及び第２の色領域を変じてもよい。例えば最も内側の情報図形の内側に存在する第１の色領域又は第２の色領域の更に内側に第２の色領域又は第１の色領域を設ける等して第１の色領域面積率を変じてもよい。
【００８７】
図１６の（Ｍ１5）に各々示した多重型画像構成パターンｍ１５１は、画像構成パターンが多数の情報図形を表し、かつ、第１の色領域面積率が極端に高い１００％に近い場合の例である。この例のように、情報図形ｍ１１４の内側に存在する第２の色領域ｍ１５５の内側に任意の形状の第１の色領域ｍ１５４を設け、第１の色領域ｍ１５４と第２の色領域ｍ１５５との面積比を変ずることにより、パターン全体の第１の色領域面積率を変じてもよい。
【００８８】
更に高い第１の色領域面積率を示すパターンを必要とする場合は、例えば、（Ｍ１６）に示す非画像構成パターンｍ１６１のように、情報図形のいくつかを表さない非画像構成パターンを用いてもよい。ただし、ｍ１６１のような非画像構成パターンでは、異なる情報図形を表す画像構成パターンと読取時に区別がつかない可能性があるので、機械読取領域に用いるのは、他に情報図形を表す画像構成パターンが存在する場合とする。また、美観等の点から画像構成パターンにて再現可能な階調の一部を非画像構成パターンにて再現することも可能である。
【００８９】
画像構成パターンの周波数特性を制御し、階調画像に情報付与する方法は、前述の閉図形と同様、多重図形に対して利用者が任意に規定してもよい。例えば、図１４の（Ｍ２）に示した画像構成パターンｍ２１、図１４の（Ｍ３）に示した画像構成パターンｍ３１及び図１４の（Ｍ４）に示した画像構成パターンｍ４１の三つとして用いることができる。更に複雑な情報を埋め込むために、任意の形状及び大きさの複数の多重型情報図形を表す画像構成パターンを用いてもよい。例えば、図１７に示す画像構成パターンｐ１５１は、4箇所に多重型情報図形ｐ１５２、ｐ１５３、ｐ１５４及びｐ１５５を表している。
【００９０】
更に複雑な画像構成パターンとして、図１８の（ｐ２０）に示す画像構成パターンｐ２０１のように、任意の形状及び大きさの閉図形型情報図形ｐ２０２、ｐ２０３及びｐ２０４と、任意の形状及び大きさの多重型情報図形ｐ２０５とを任意の数だけ用いてもよい。また、（ｐ２５）に示す画像構成パターンｐ２５１のように、画像構成パターンに任意の形状及び大きさを有し、情報図形を表さない第１の色領域ｐ２５５が任意の数だけ含まれていても、情報付与は可能である。
【図面の簡単な説明】
【００９１】
【図１】機械読取情報を埋め込んだ印刷物の例を示した図
【図２】図１に示した機械読取領域の拡大図
【図３】画像構成パターンの例を示した図（あ）、（い）、（う）、（え）、（お）、（か）
【図４】画像構成パターンの例を示した図（さ）、（し）
【図５】階調画像の階調を再現する二値画像の作成方法の例を示した図
【図６】階調画像の階調を再現する二値画像の作成する装置の例を示した図
【図７】閉図形型画像構成パターンの例を示した図
【図８】閉図形型画像構成パターンの例を示した図(C１)、（C２）、（C３）、（Ｃ４）
【図９】閉図形型画像構成パターンにて階調再現した画像の例を示した図
【図１０】図７に示した画像構成パターンの拡大図の例
【図１１】図８に示した閉図形型画像構成パターンの部分的な拡大図の例
【図１２】複数の閉図形情報図形を有する閉図形型画像構成パターンの例を示した図
【図１３】多重型画像構成パターンを説明した図
【図１４】多重型画像構成パターンの例を示した図
【図１５】多重型画像構成パターンにて階調再現した画像の例を示した図
【図１６】図１３に示した画像構成パターンの例を拡大した図
【図１７】複数の多重型情報図形を有する画像構成パターンの例を示した図
【図１８】閉図形型情報図形及び多重型情報図形を含む画像構成パターンの例を示した図
【符号の説明】
【００９２】
ａ１            機械読取情報を埋め込んだ印刷物
ａ２            階調画像
ａ３            機械読取領域
ａ４、ａ１２、ａ１６、ａ２０、ａ２３、ａ２６、ａ３２、ａ３６、ａ５２、ａ５６、
ｃ２、ｃ１２、ｃ２２、ｃ２４、ｃ３２、ｃ４２、ｃ１１２、ｃ１２２、ｃ１３２、
ｃ１４２、ｃ１５２、ｃ１６２、ｍ２、ｍ１２、ｍ２２、ｍ３２、ｍ４２、ｍ５２、
ｍ６２、ｍ１１２、ｍ１２２、ｍ１３２、ｍ１３４、ｍ１４２、ｍ１４４、ｍ１５２、
ｍ１５４、ｍ１６２、ｐ１０２〜ｐ１０５、ｐ２５５
第１の色領域
ａ５、ａ１３、ａ１７、ａ２１、ａ２４、ａ２７、ａ３０、ａ３３、ａ３７、ａ５３、
ａ５７、ｃ３、ｃ１３、ｃ２３、ｃ３３、ｃ４３、ｃ１１３、ｃ１２３、ｃ１３３、
ｃ１４３、ｃ１５３、ｃ１６３、ｍ３、ｍ１３、ｍ２３、ｍ３３、ｍ４３、ｍ５３、
ｍ６３、ｍ１１３、ｍ１２３、ｍ１３３、ｍ１３５、ｍ１４３、ｍ１４５、ｍ１５３、
ｍ１５５、ｍ１６３、ｐ１０６〜ｐ１０９
第２の色領域
ａ６、ａ１１、ａ１５、ａ１９、ａ２５、ａ３１、ａ３５、ａ５１、ａ５５、ｐ１５１、ｐ２０１、ｐ２５１      画像構成パターン
ａ７、ｃ１６１          画像構成パターン（非情報）
ａ８、ａ１４、ｃ４、ｃ３４、ｃ４４、ｃ１１４、ｍ４、ｍ５、ｍ３４、ｍ４４、ｍ５４ｍ６４、ｍ１１４        情報図形
ｂ１、ｂ２      画像構成パターンにより階調再現された画像
ｃ１、ｃ１１、ｃ２１、ｃ３１、ｃ４１、ｐ１０１      画像構成パターン（閉図形型画像構成パターン）
ｃ１１１、ｃ１２１、ｃ１３１、ｃ１４１、ｃ１５１    
画像構成パターン（閉図形型画像構成パターンのうち閉図形単独型画像構成パターン）
ｃ１１５、ｃ１６５    画像構成パターンの部分
ｃ１１６          第１の色領域の外周
ｃ１５４、ｃ１６４、ｐ１１４        内包第１の色領域
ｃ１６６          第２の色領域の内周
ｄ１            演算手段
ｄ２            一時記憶手段
ｄ３            データ格納手段
ｄ４            画像入力手段
ｄ５            画像描画手段
ｄ６            データ入力手段
ｄ７            出力手段
ｄ８            表示手段
ｍ１、ｍ１１、ｍ２１、ｍ３１、ｍ４１、ｍ５１、ｍ６１、ｍ１１１、ｍ１２１、
ｍ１３１、ｍ１４１、ｍ１５１、ｍ１６１          画像構成パターン（多重型画像構成パターン）
ｍ６            情報図形ｍ４の大きさ
ｍ７            情報図形ｍ５の大きさ
ｍ８            情報図形ｍ４及びｍ５の位置関係
ｐ１１０、ｐ１１１、ｐ１１２、ｐ１１３、ｐ２０２、ｐ２０３、ｐ２０４、ｐ２５２、ｐ２５３          閉図形型情報図形
ｐ１５２、ｐ１５３、ｐ１５４、ｐ１５５、ｐ２０５、ｐ２５４              多重型情報図形
ｓ１            画像構成パターンの作成
ｓ２            階調画像の階調を有する多値画像の作成
ｓ３            情報の入力
ｓ４            多値画像の読み込み
ｓ５            階調の判定及び画像構成パターンの選択
ｓ６            階調画像の階調を再現する二値画像の作成
【図１】
2008060871.tif 000003
【図２】
2008060871.tif 000004
【図３】
2008060871.tif 000005
【図４】
2008060871.tif 000006
【図５】
2008060871.tif 000007
【図６】
2008060871.tif 000008
【図７】
2008060871.tif 000009
【図８】
2008060871.tif 000010
【図９】
2008060871.tif 000011
【図１０】
2008060871.tif 000012
【図１１】
2008060871.tif 000013
【図１２】
2008060871.tif 000014
【図１３】
2008060871.tif 000015
【図１４】
2008060871.tif 000016
【図１５】
2008060871.tif 000017
【図１６】
2008060871.tif 000018
【図１７】
2008060871.tif 000019
【図１８】
2008060871.tif 000020